(57)【要約】【課題】プロテクタ内から引き出す電線を外装するコルゲートチューブを確実に正規位置で位置決め固定し、プロテクタを通すワイヤハーネスの寸法精度を確保する。【解決手段】プロテクタ本体および蓋の長さ方向の端面先端より電線引出部を突設しているワイヤハーネス用プロテクタにおいて、プロテクタ本体および蓋に突設する電線引出部は夫々半円環形状とすると共に、長さ方向に凹凸部を交互に形成し、上記コルゲートチューブの山谷に上下方向より外嵌させている一方、プロテクタ本体の電線引出部の基部側に、上記コルゲートチューブの先端面に当接させて位置決め固定するストッパーを突設し、該ストッパーは上記凹凸部の凸部よりも高く設定している。【選択図】　図１
2004072932.tif 000002
【特許請求の範囲】
【請求項１】
プロテクタ本体内にワイヤハーネスを挿通して蓋を被せ、該プロテクタから引き出されるワイヤハーネスにはコルゲートチューブを外装し、上記プロテクタ本体および蓋の長さ方向の端面先端より電線引出部を突設しているワイヤハーネス用プロテクタにおいて、
上記プロテクタ本体および蓋に突設する電線引出部は夫々半円環形状とすると共に、長さ方向に凹凸部を交互に形成し、上記コルゲートチューブの山谷に上下方向より外嵌させている一方、
上記プロテクタ本体の電線引出部の基部側に、上記コルゲートチューブの先端面に当接させて位置決め固定するストッパーを突設し、該ストッパーは上記凹凸部の凸部よりも高く設定していることを特徴とするワイヤハーネス用プロテクタ。
【請求項２】
上記電線引出部のストッパーとプロテクタ本体との間に、目視により上記コルゲートチューブの固定位置を確認するための目視穴を設けている請求項１に記載のワイヤハーネス用プロテクタ。
【発明の詳細な説明】
【０００１】
【発明が属する技術分野】
本発明は、ワイヤハーネス用プロテクタに関し、詳しくは、プロテクタから引き出す電線の寸法精度を確保するものである。
【０００２】
【従来の技術】
自動車に配策する電線を保護するプロテクタとして、従来、図３（Ａ）に示すようなプロテクタ１が用いられている。該プロテクタ１はプロテクタ本体２から電線引出部３を突出させ、該電線引出部３に、プロテクタ１内から引き出す電線ｗを外装するコルゲートチューブ５の形状に合わせた凹凸部を連続して設けている。
【０００３】
上記プロテクタ１では、図３（Ｂ）に示すように、コルゲートチューブ５の凹凸部を電線引出部３に設けた凹凸部に合わせて位置決めし、蓋４を被せて電線ｗをプロテクタ１に固定している。
【０００４】
【発明が解決しようとする課題】
しかしながら、上記プロテクタ１では、蓋４を被せるまでコルゲートチューブ５は電線引出部３に固定されていない。よって、電線引出部３の規定位置にコルゲートチューブ５を載置しても、蓋４を被せるまでにコルゲートチューブ５にズレが生じ、図３（Ｃ）に示すように、コルゲートチューブ５が規定位置よりもプロテクタ本体２の内部に入りこんだ状態で、電線引出部３に位置決め固定するおそれがある。その場合、配索寸法に合わせて設定しているワイヤハーネスの長さにならず、ワイヤハーネスに取り付けているクリップが車体パネルの係止穴と一致しない問題等が発生する。
【０００５】
本発明は上記問題に鑑みてなされたものであり、プロテクタ内から引き出す電線を外装するコルゲートチューブを確実に規定位置で位置決め固定し、ワイヤハーネスの寸法精度を確保することを課題としている。
【０００６】
【課題を解決するための手段】
上記課題を解決するため、本発明は、プロテクタ本体内にワイヤハーネスを挿通して蓋を被せ、該プロテクタから引き出されるワイヤハーネスにはコルゲートチューブを外装し、上記プロテクタ本体および蓋の長さ方向の端面先端より電線引出部を突設しているワイヤハーネス用プロテクタにおいて、
上記プロテクタ本体および蓋に突設する電線引出部は夫々半円環形状とすると共に、長さ方向に凹凸部を交互に形成し、上記コルゲートチューブの山谷に上下方向より外嵌させている一方、
上記プロテクタ本体の電線引出部の基部側に、上記コルゲートチューブの先端面に当接させて位置決め固定するストッパーを突設し、該ストッパーは上記凹凸部の凸部よりも高く設定していることを特徴とするワイヤハーネス用プロテクタを提供している。
【０００７】
上記構成とすると、電線引出部に設けた凸部よりも突出させているストッパーがコルゲートチューブの先端にしっかりと当接するため、電線引出部に載置したコルゲートチューブが位置ずれることなく規定位置に位置決め固定することができる。よって、プロテクタを通すワイヤハーネスの寸法精度を確保することができる。
【０００８】
また、上記電線引出部のストッパーとプロテクタ本体との間に、目視により上記コルゲートチューブの固定位置を確認するための目視穴を設けてもいることが好ましい。
【０００９】
上記構成とすると、目視穴を介して外部から電線引出部内を目視することができるため、電線引出部に嵌合する蓋を取り外すことなく、コルゲートチューブの先端にストッパーが当接し、電線引出部内にコルゲートチューブが正確に位置決めされているか否かを確認することができる。
【００１０】
【発明の実施の形態】
以下、本発明の実施の形態を図面を参照して説明する。
図１及び図２は、本発明の実施形態を示し、プロテクタ１０は樋形状のプロテクタ本体１１と蓋１５を備え、ワイヤハーネスＷ／Ｈを内部に挿通させた状態で、プロテクタ本体１１と蓋１５とをロック結合している。
【００１１】
上記プロテクタ本体１１および蓋１５には、長さ方向の端面から突出する半円環形状の電線引出部１２、１３を一体的に成形している。電線引出部１２、１３にはプロテクタ本体との接続端から所定寸法あけた位置から先端１２ａ、１３ａにかけて、プロテクタ本体１１内から引き出す電線に外装するコルゲートチューブの山谷形状に合わせた凸部１２ｂと凹部１２ｃ、同じく凸部１３ｂと凹部１３ｃとをそれぞれ連続して設けている。
【００１２】
上記プロテクタ本体側の電線引出部１２には、最も基部側（プロテクタ本体１１側）に設けた凸部１２ｂ−１とプロテクタ本体１１との接続端の間に凹部１２ｃの寸法をあけてストッパー１２ｄを突設している。該ストッパー１２ｄは、電線引出部１２の周方向の略中央に設け、上記凸部１２ｂよりも突出させて高背としている。さらに、ストッパー１２ｄとプロテクタ本体１１との接続端の間に貫通した目視穴１２ｅを設けている。
【００１３】
図２に示すように、プロテクタ１０内から引き出すワイヤハーネスＷ／Ｈにはコルゲートチューブ２０を外装し、プロテクタ内を通すワイヤハーネスＷ／Ｈにはコルゲートチューブを外装せず、ワイヤハーネスの電線群をテープ巻きしている。なお、プロテクタ内を通す電線群はテープ巻きしなくともよい。
【００１４】
プロテクタ１０をワイヤハーネスＷ／Ｈに取り付ける作業時、まず、プロテクタ本体１１にワイヤハーネスＷ／Ｈを通し、該ワイヤハーネスＷ／Ｈに外装したコルゲートチューブ２０の端部２０ａを上記ストッパー１２ｄに当接させて位置決めし、かつ、コルゲートチューブ２０の山部を凹部１２ｃに谷部を凸部１２ｂと嵌合させる。
この状態で、プロテクタ本体１１に蓋１５を被せ、蓋１５の電線引出部１３の凹凸部もコルゲートチューブ２０の山谷部と嵌合させて、プロテクタ本体１１と蓋１３とをロック手段（図示せず）で結合する。このロック結合で、プロテクタ本体１１の電線引出部１２と蓋１５の電線引出部１３とでコルゲートチューブ２０は外嵌固定される。
【００１５】
上記プロテクタ本体１１と蓋１５とをロック結合する前に、目視穴１２ｅから電線引出部１２と１３内で保持されているコルゲートチューブ２０の先端がストッパー１２ｄに当接されているか否かを目視検査する。当接されていない状態であれば、蓋１５を開いてコルゲートチューブ２０の先端がストッパー１２ｄに当接する位置となるように調節し、その後、プロテクタ本体１１と蓋１５とをロックする。
【００１６】
上記構成とすると、プロテクタ１０内から引き出すワイヤハーネスＷ／Ｈに外装したコルゲートチューブ２０の端部２０ａをストッパー１２ｄに当接させて正規位置に位置決めしているため、プロテクタ１０を通すワイヤハーネスの寸法精度を確保することができる。
また、ストッパー１２ｄの近傍に設けた目視穴１２ｅを通して、外部から電線引出部１２、１３内を目視することができるため、コルゲートチューブ２０の先端がストッパー１２ｄに当接していなければ、蓋１５をプロテクタ本体１１にロック結合する前にコルゲートチューブ２０を正規位置に移動させることが出来る。
【００１７】
【発明の効果】
以上の説明より明らかなように、本発明によれば、プロテクタ内から引き出すワイヤハーネスを外装するコルゲートチューブの先端をプロテクタ本体から突出する電線引出部に設けたストッパーに当接させて位置決め固定しているため、プロテクタを通すワイヤハーネスの寸法精度を確保することができる。
また、上記ストッパー近傍に設けた目視穴を介して、外部から電線引出部内を目視することができ、プロテクタ本体に蓋をロック結合する前に、コルゲートチューブを正規位置に位置させることが出来る。
【図面の簡単な説明】
【図１】（Ａ）は本発明のプロテクタの要部拡大斜視図、（Ｂ）は平面図である。
【図２】本発明のプロテクタにコルゲートチューブを位置決め固定している図面である。
【図３】（Ａ）は従来例のプロテクタの要部拡大斜視図、（Ｂ）は従来例のプロテクタの規定位置にコルゲートチューブを位置決め固定している図面、（Ｃ）は従来例の問題点を示す図面である。
【符号の説明】
１０　プロテクタ
１１　プロテクタ本体
１２、１３　電線引出部
１２ｄ　ストッパー
１２ｅ　目視穴
１５　蓋
２０　コルゲートチューブ
ｗ　電線
Ｗ／Ｈ　ワイヤハーネス
【図１】
2004072932.tif 000003
【図２】
2004072932.tif 000004
【図３】
2004072932.tif 000005